(57)【要約】【課題】円滑な移動が可能で、紙類等やペットボトルなどの被処理物を効率よく粉砕することができる移動式破砕システムを提供する。【解決手段】紙類を破砕して破砕物にする破砕機２と、破砕物をさらに細かく粉砕して粉砕物にする粉砕機３と、粉砕物を空気と共に搬送する送風搬送部４と、送風搬送部４を介して搬送された粉砕物を空気と分離するサイクロン５と、破砕機２、粉砕機３、送風搬送部４、およびサイクロン５などが搭載された搬送車両と、を備える。このため、ペットボトルなどの被処理物の蓄積場所へ円滑な移動が可能で、被処理物を効率よく粉砕することができる。【選択図】図１
0003167803.tif 000002
【実用新案登録請求の範囲】
【請求項１】
被処理物を破砕して破砕物にする破砕機と、
前記破砕物をさらに細かく粉砕して粉砕物にする粉砕機と、
前記粉砕機から前記粉砕物を空気と共に搬送する送風搬送部と、
前記送風搬送部を介して搬送された前記粉砕物を空気と分離するサイクロンと、
前記破砕機、前記粉砕機、前記送風搬送部、および前記サイクロンが搭載された搬送車両と、
を備えることを特徴とする移動式破砕システム。
【請求項２】
前記破砕機は、２軸回転式粉砕機であることを特徴とする請求項１に記載の移動式破砕システム。
【請求項３】
前記粉砕機は、縦型粉砕機であることを特徴とする請求項１または請求項２に記載の移動式破砕システム。
【請求項４】
前記サイクロンは、前記搬送車両の平面輪郭内と平面輪郭外との間を変位可能であり、
システム稼働時は、前記平面輪郭外に変位させて用いることを特徴とする請求項１〜３のいずれか一つに記載の移動式破砕システム。
【請求項５】
前記粉砕機と前記サイクロンとの流路の中間に送風機が配置され、少なくとも前記サイクロンと前記送風機とを結ぶ前記流路は、可撓性を有するホースでなることを特徴とする請求項１〜４のいずれか一つに記載の移動式破砕システム。
【考案の詳細な説明】
【技術分野】
【０００１】
本考案は移動式破砕システムに関し、さらに詳しくは、被処理物が蓄積された場所に移動することができる移動式破砕システムに関する。
【背景技術】
【０００２】
紙類や、ペット（ＰＥＴ：ポリエチレンテレフタレート）ボトルなどは、圧縮機、粉砕機などの各種の装置が搬送手段を介在して設置されているリサイクル工場において、各処理を経てチップ状に粉砕されリサイクルに供されるようになっている。
【０００３】
特に、近年では、機密書類等の処理の必要性が高まっており、むやみに機密書類等を処理工場へ搬送することも、個人情報の流出や、企業機密の漏洩の観点から慎重な扱いが要望されている。
【０００４】
また、近年では、容器包装リサイクル法の整備により、ペットボトルの回収率・リサイクル率も上昇している。コンビニエンスストアやスーパーマーケットを始め各市町村でも回収を行なったため、回収量は飛躍的に増え、一時的に再生処理能力が回収量に対処しきれない事態も生じている。通常、そのままでは非常に嵩張るペットボトルは収集拠点で減容され、リサイクル工場へ運ばれている。
【０００５】
そこで、リサイクル工場や処理工場へ紙類やペットボトルなどを搬送せずに、これら紙類やペットボトルの蓄積場所にて、これらを粉砕して、蓄積場所で再生化するための処理や機密上方の安全な処理を行うことが要望されている。
【０００６】
従来、建設廃材、廃木材、廃プラスチック、廃家電品などを破砕する破砕機を搭載した自走式破砕装置が提案されている（例えば、特許文献１参照）。
【先行技術文献】
【特許文献】
【０００７】
【特許文献１】特開２００４−６６０８８号公報
【考案の概要】
【考案が解決しようとする課題】
【０００８】
しかしながら、特許文献１に開示された自走式破砕装置は、建築廃材置き場などへ移動可能なものであるが、履帯式走行装置で走行するものであり、遠距離の移動に適さないものであり、搭載する装置が破砕機のみであった。したがって、従来の自走式粉砕装置では、機密書類等を蓄積した処理場所のように、全国の各場所へ移動することは到底できないものであった。また、このような従来の自走式粉砕装置では、機密書類等の紙類を粉砕処理する用途には適さないものであった。さらに、従来の自走式粉砕装置では、複数種の処理を要するペットボトルの処理には不向きなものであった。
【０００９】
本考案の目的は、円滑な移動が可能で、例えば機密書類等の紙類や、ペットボトルなどの被処理物を効率よく粉砕することができる移動式破砕システムを提供することにある。
【課題を解決するための手段】
【００１０】
上述した課題を解決し、目的を達成するために、本考案の態様は、移動式破砕システムであって、被処理物を破砕して破砕物にする破砕機と、前記破砕物をさらに細かく粉砕して粉砕物にする粉砕機と、前記粉砕機から前記粉砕物を空気と共に搬送する送風搬送部と、前記送風搬送部を介して搬送された前記粉砕物を空気と分離するサイクロンと、前記破砕機、前記粉砕機、前記送風搬送部、および前記サイクロンが搭載された搬送車両と、を備えることを特徴とする。
【００１１】
上記態様としては、前記破砕機が、２軸回転式破砕機であることが好ましい。
【００１２】
また、上記態様としては、前記粉砕機が、縦型粉砕機であることが好ましい。
【００１３】
さらに、上記態様としては、前記サイクロンが、前記搬送車両の平面輪郭内と平面輪郭外との間を変位可能であり、システム稼働時は、前記平面輪郭外に変位させて用いることが好ましい。
【００１４】
また、上記態様としては、前記粉砕機と前記サイクロンとの流路の中間に送風機が配置され、少なくとも前記サイクロンと前記送風機とを結ぶ前記流路は、可撓性を有するホースでなることが好ましい。
【考案の効果】
【００１５】
本考案に係る移動式破砕システムによれば、機密書類等を蓄積場所で確実に粉砕処理できるため、機密書類等の紙類を処理工場などへ搬送させる必要がなく、目前で機密書類等の処理を確認できるという効果を奏する。
【００１６】
また、本考案に係る移動式破砕システムによれば、長距離であっても円滑な移動が可能で、紙類や、ペットボトルなどの被処理物（被粉砕物）を効率よく粉砕することができるという効果を奏する。
【００１７】
また、本考案に係る移動式破砕システムによれば、被処理物を、破砕機で加工しやすい大きさに加工してから粉砕を行うため、粉砕までの工程を無理なく円滑に行えるという効果を奏する。
【００１８】
また、本考案に係る移動式破砕システムによれば、嵩張る被処理物を搬送せずに被処理物の蓄積場所で粉砕処理を行えるため、各蓄積場所に処理施設を設けることなく、効率的な粉砕処理が可能となる。
【００１９】
また、本考案に係る移動式破砕システムによれば、サイクロンをシステム稼働時に搬送車両の平面輪郭外に変位させることで、被処理物の粉砕物を回収容器に入れたり、別途搬送手段で別の場所に搬送させることが容易となる。
【図面の簡単な説明】
【００２０】
【図１】図１は、本考案の実施の形態に係る移動式破砕システムを示す側面図である。
【図２】図２は、本考案の実施の形態に係る移動式破砕システムを示す平面図である。
【図３】図３は、本考案の実施の形態に係る移動式破砕システムを示す背面図である。
【図４】図４は、本考案の実施の形態に係る移動式破砕システムに用いる２軸破砕機の部分断面平面図である。
【図５】図５は、図４のＶ−Ｖ断面図である。
【図６】図６は、本考案の実施の形態に係る移動式破砕システムに用いる粉砕機の部分断面側面図である。
【図７】図７は、本考案の実施の形態に係る移動式破砕システムに用いる粉砕機の要部平面図である。
【考案を実施するための形態】
【００２１】
以下に、本考案の実施の形態に係る移動式破砕システムの詳細を図面に基づいて説明する。但し、図面は模式的なものであり、各部材の寸法や寸法の比率などは現実のものと異なることに留意すべきである。
【００２２】
（移動式破砕システムの概略構成）
図１〜３を用いて、本考案に係る移動式破砕システム１の概略構成を説明する。移動式破砕システム１は、被処理物としての紙類やペットボトルを破砕して破砕物にする破砕機２と、破砕機２で粉砕された破砕物をさらに細かく粉砕して粉砕物にする粉砕機３と、粉砕機３から粉砕物を空気と共に搬送する送風搬送部４と、この送風搬送部４を介して搬送された粉砕物を空気と分離するサイクロン５と、これら破砕機２、粉砕機３、送風搬送部４、およびサイクロン５を搭載する配置面（荷台面）６Ａを有する搬送車両６と、発電装置９と、を備えて概略構成されている。
【００２３】
また、破砕機２と粉砕機３との間には、粉砕機３で粉砕された粉砕物を搬送するベルトコンベヤ７Ａ、７Ｂが配置されている。なお、このベルトコンベヤ７Ａは、破砕機２の下部から供給される破砕物をベルトコンベヤ７Ｂの上に搬送するため、斜め上方へ向けて例えば約２０度の角度に設定されている。また、ベルトコンベヤ７Ｂは、粉砕機３の上部の開口部分３１に破砕物を搬送するため、破砕機２から粉砕機３へ向けて斜め上方へ向けて例えば約３０度の角度をなすように設定されている。
【００２４】
図１〜３に示すように、破砕機２は、上部に、平面形状が矩形状のホッパー２１を備えている。このホッパー２１は、破砕機２において紙類やペットボトルを投入する入り口となる。なお、ホッパー２１の一部の側板２１Ａが破砕機２の上部開口縁に沿って設けられたヒンジ部２２を支点として回動可能に設けられている。この側板２１Ａは、エアーシリンダ２３のピストンの自由端が連結され、エアーシリンダ２３を駆動することにより、出没するピストンの動作により、破砕機２の上部開口部に投入された紙類やペットボトル（図示省略する）を内奥へ向けて押圧するようになっている。これにより、紙類や軽量のペットボトルを破砕機２に強制的に導入して確実にペットボトルを破砕できるようになっている。なお、エアーシリンダ２３は、ピストンにより側板２１Ａが紙類やペットボトルを押圧するように回転移動できるように、側板２１Ａの姿勢に追従できるように揺動可能に支持されている。
【００２５】
破砕機２は、ベルトコンベヤ７Ａの上方に位置するように、例えば６本の支柱２４を備える据付台２５の上に搭載されている。本実施の形態に係る移動式破砕システム１では、破砕機２は、２軸回転式破砕機である。
【００２６】
図４および図５に示すように、この破砕機２は、互いに平行をなし、回転方向が互いに反対方向となるように駆動される２つの回転支軸２０１、２０２が設けられている。回転支軸２０１には、複数の円盤状回転刃２０３が所定間隔を隔てて平行に支持されている。回転支軸２０２には、複数の円盤状回転刃２０４が所定間隔を隔てて平行に支持されている。これら円盤状回転刃２０３、２０４は、互いに密に噛み合うように所定間隔が設定されている。これら回転支軸２０１、２０２は、破砕機枠体２０５に回動自在に軸支されている。そして、一方の回転支軸２０２には、電動機２０６の駆動軸２０６Ａが連結されている。この回転支軸２０２には、歯車２０７が同軸的に設けられており、この歯車２０７には、回転支軸２０１に同軸的に設けられた歯車２０８が噛み合うように設定されている。
【００２７】
図５に示すように、円盤状回転刃２０３、２０４は、紙類やペットボトルが投入された側において、確実に剪断するため、紙類やペットボトルを捕捉しやすい突起刃２０３Ａ、２０４Ａが形成されている。
【００２８】
このような構成の破砕機２で破砕された紙類やペットボトルの破砕物は、ベルトコンベヤ７Ａの上に落下し、ベルトコンベヤ７Ｂに搬送される。ベルトコンベヤ７Ｂの中間部の上方には、コンベヤで搬送する破砕物に混じる金属片などを除去するための磁選機８が配置されている。この磁選機８は、搬送車両６の配置面６Ａにそれぞれベルトコンベヤ７を挟んで立設された２対の吊り下げ用支柱８１Ａ，８１Ｂのそれぞれの対に架設された梁部材８２に例えばワイヤー８３で吊り下げられている。
【００２９】
粉砕機３は、縦型粉砕機であり、図６に示すように、ベルトコンベヤ７Ｂの上部が入り込んでいるホッパー３２の開口部分３１から破砕物が投入部３３に投入される。図６および図７に示すように、投入部３３の下には、粉砕室３４の空間内で回転される粉砕刃３５と攪拌板３６が回転軸３７に設けられている。粉砕室３４の下流側には、スクリーンフィルタ３８が配置され、所定の大きさに細かくなった粉砕物のみを通過させるようになっている。スクリーンフィルタ３８が配置された外側壁は開口するシュート３９となっている。このシュート３９には、送風搬送部４のホース４１が接続されている。
【００３０】
回転軸３７の下部には、第２プーリ３０１が同軸的に設けられている。この第２プーリ３０１と、電動機３０３の駆動軸３０４に設けられた第１プーリ３０５とに亘って、複数本のＶベルト３０２が架け渡されている。
【００３１】
図１および図２に示すように、送風搬送部４は、粉砕機３で粉砕された粉砕物を空気と共に搬送するものであり、粉砕機３に連結されるホース４１とサイクロン５に連結されるホース４２との中間部に送風機４３が設けられている。これらホース４１、４２は、可撓性を有している。
【００３２】
サイクロン５は、搬送車両６における配置面６Ａの前部に立設された支柱５１の上部に、揺動アーム５２を介して設けられている。図２に示すように、揺動アーム５２は、支柱５１を支点にして水平方向に回動可能に設けられている。すなわち、サイクロン５は、搬送車両の平面輪郭内と平面輪郭外との間を変位可能になっている。
【００３３】
搬送車両６は、図２において実線で示す位置にサイクロン５を配置、固定した状態で搬送可能となる。また、移動式破砕システム１を可動させる場合は、図２において一点鎖線で示す位置にサイクロン５を移動させる。このようにサイクロン５を搬送車両６の平面輪郭外へ移動可能とすることで、サイクロン５で空気と分離された粉砕物を排出部５３から搬送車両６外の容器や搬送手段に供給しやすくすることができる。なお、ホース４２は、サイクロン５の変位に追従できるだけの長さを有している。
【００３４】
なお、本実施の形態では、連動運転中に一箇所で稼働が停止されるとシステム全体が同時に停止されるように設定されている。なお、このようなインターロック機能は、必要に応じて適宜設計すればよい。
【００３５】
（移動式破砕システムの使用方法および動作）
先ず、図１および図２に示すように、移動式破砕システム１を紙類やペットボトルの蓄積場所に移動させる。このように移動式破砕システム１を移動に伴い、発電装置９では発電を行うようになっている。このため、移動式破砕システム１を稼働させる場合は、この発電装置９の電力で賄うことができる。
【００３６】
移動式破砕システム１を移動させた後、搬送車両６の配置面６Ａの後部の領域に例えば重機などを搭載する。なお、この配置面６Ａの後部に予め重機を搭載した状態で処理場所へ移動することも勿論可能である。次に、重機を操作して破砕機２のホッパー２１内に所定量の紙類やペットボトルを投入する。このときは、ホッパー２１の側板２１Ａは、図３に実線で示す開いた位置に配置されている。紙類やペットボトルを投入した後は、エアーシリンダ２３を稼働してピストンを突出する方向に駆動して側板２１Ａを、図３に一点鎖線で示す位置まで徐々に回動させて紙類やペットボトルを破砕機２に押し込むようにする。このため、紙類やペットボトルは円盤状回転刃２０３、２０４の周面で滑ることなく、確実に破砕機２側へ供給されて破砕されるようになっている。
【００３７】
破砕機２で破砕された紙類やペットボトルの粉砕物は、ベルトコンベヤ７Ａ、７Ｂを介して粉砕機３のホッパー３２の開口部分３１に搬送される。なお、ベルトコンベヤ７Ｂの上方に対向配置された磁選機８は、ベルトコンベヤ７Ｂ上を搬送される破砕物中の金属片を捕捉するようになっている。
【００３８】
ベルトコンベヤ７Ｂの上部から落下する破砕物は、粉砕機３のホッパー３２の開口部分３１を介して投入部３３内に投入される。破砕物は、投入部３３から粉砕室３４に導入され、攪拌板３６で攪拌されつつ粉砕刃３５で細かく粉砕される。粉砕室３４内は、送風搬送部４から吸引されるため、粉砕物と空気がスクリーンフィルタ３８を通過してホース４１、４２を介してサイクロン５の上部に搬送される。そして、サイクロン５では、粉砕物を空気と分離して下部の５３から排出する。なお、移動式破砕システム１を稼働させる場合は、このサイクロン５を車両６の平面輪郭外に移動した位置に配置させる。
【００３９】
このような構成の移動式破砕システム１によれば、長距離であっても円滑な移動が可能で、紙類やペットボトルなどの被処理物（被粉砕物）を効率よく粉砕することができるという効果を奏する。
【００４０】
また、上記移動式破砕システム１によれば、被処理物を、破砕機で加工しやすい大きさに加工してから粉砕を行うため、粉砕までの工程を無理なく円滑に行えるという効果を奏する。
【００４１】
さらに、上記移動式破砕システムによれば、嵩張る被処理物を搬送せずに被処理物の蓄積場所で粉砕処理を行えるため、各蓄積場所に処理施設を設けることなく、効率的な粉砕処理が可能となる。
【００４２】
（その他の実施の形態）
以上、本考案の実施の形態について説明したが、本考案はこれに限定されるものではなく、構成の要旨に付随する各種の設計変更が可能である。
【００４３】
例えば、上記実施の形態では、破砕機２を２軸破砕機で構成したが、１軸粉砕機や３軸粉砕機を用いてもよい。また、破砕機２で破砕した破砕物をベルトコンベヤ７Ａ、７Ｂで搬送したが、搬送手段はこれに限定されるものではない。
【００４４】
また、上記実施の形態では、粉砕機３が縦型粉砕機であるが、これに限定されるものではない。
【００４５】
さらに、上記実施の形態では、サイクロン５を支柱５１に回動可能としたが、サイクロン５と配置面６Ａとの距離が確保でき、サイクロン５の排出部５３の下に回収容器などを配置できる場合は回動しないようにしてもよい。
【産業上の利用可能性】
【００４６】
以上のように、本考案に係る移動式破砕システムは、例えば機密書類等の紙類やペットボトルなどの樹脂製品などの粉砕処理を各蓄積場所に移動して行うための破砕システムとして利用することができる。
【符号の説明】
【００４７】
１  移動式破砕システム
２  破砕機
３  粉砕機
４  送風搬送部
５  サイクロン
６  搬送車両
６Ａ  配置面
７Ａ，７Ｂ  ベルトコンベヤ
８  磁選機
【図１】
0003167803.tif 000003
【図２】
0003167803.tif 000004
【図３】
0003167803.tif 000005
【図４】
0003167803.tif 000006
【図５】
0003167803.tif 000007
【図６】
0003167803.tif 000008
【図７】
0003167803.tif 000009